(57)【要約】      （修正有）【課題】ブリッジの製作精度を向上できる円錐台を提供する。【解決手段】本体１０と、調整部材２０と、複数の調整ロッド３０とを備える円錐台であって、前記本体は、上面の中央に突出状の球面が設けられ、前記球面の中央に湾曲状の内壁を有する開口１１０が形成され、下面の中央に、前記開口と連通すると共に、内壁にねじ山を有する収容孔が形成され、前記本体の上面に所定の間隔で複数のねじ孔１１２が形成され、前記調整部材は、調整ボール２１と固定ロッド２２を有し、前記調整ボールは、外径が開口の内径より大きく、回転自在に前記開口内に設けられ、前記固定ロッドは、前記収容孔に螺設されることにより、調整ボールを開口に位置決め、前記固定ロッドの外側に収容孔のねじ山と螺合するねじ山が設けられ、前記複数の調整ロッドは、夫々本体のねじ孔に螺設され、外側にねじ孔に螺設するためのねじ山が設けられること。【選択図】図１
0003129449.tif 000002
【実用新案登録請求の範囲】
【請求項１】
本体と、調整部材と、複数の調整ロッドと、を備える円錐台であって、
前記本体は、上面の中央に突出状の球面が設けられ、前記球面の中央に湾曲状の内壁を有する開口が形成され、下面の中央に、前記開口と連通すると共に、内壁にねじ山を有する収容孔が形成され、前記本体の上面に所定の間隔で複数のねじ孔が形成され、
前記調整部材は、調整ボールと、外側にねじ山が設けられた固定ロッドとを有し、外径が本体の開口の内径より大きい前記調整ボールは前記開口内に回転自在に設けられ、前記本体の収容孔に螺設された前記固定ロッドは調整ボールを開口に位置決めし、
前記複数の調整ロッドは夫々本体のねじ孔に螺設されていることを特徴とする、
円錐台。
【請求項２】
更に調整プレートを有し、前記調整プレートは変形可能なプレートであり、両端が少なくとも二つの調整ロッドに設置されることを特徴とする、請求項１に記載の円錐台。
【請求項３】
前記調整プレートは、中央が湾曲状を呈すると共に、両側が平面状を呈するロウプレートであることを特徴とする、請求項２に記載の円錐台。
【考案の詳細な説明】
【技術分野】
【０００１】
本考案は歯科技工用の円錐台（ゴム枠）に関し、特にブリッジの製作精度を向上できる円錐台に関するものである。
【背景技術】
【０００２】
甘い食物、例えばアイスクリーム、チョコレート、飴などを食べた後、確実に口腔清潔をしなければ、虫歯菌や歯周病菌が増殖し易くなって、最終的に抜歯をしなければならない。
【０００３】
抜歯した後、一般に、前記抜歯の位置に仮歯やブリッジを設置して治療している。
前記ブリッジは、約三つのクラウンを有するものであり、抜歯位置の両側に位置する正常の歯を支持体として歯の補足を行う。
【０００４】
ブリッジを製作するには、先ず歯医者が患者の口腔内の歯形の石膏模型を製作し、その後に歯科技工士が石膏模型を基にロウ型を製造する。
このロウ型は、製作しようとするブリッジの形状を呈している。
ロウ型の完成後、前記ロウ型をロウロッドによって円錐台に設置すると共に、埋没材を充填し、それが凝固した後、埋没材と円錐台を分離させ、加熱によってロウロッドとロウ型を融けて流れ出した後、ロウのモールドを完成させる。
このロウのモールドに金属やセラミックス材料などの充填物を充填し、前記充填物とロウのモールドを分離させた後、ブリッジを完成させる。
【考案の開示】
【考案が解決しようとする課題】
【０００５】
しかしながら、従来では、通常ロウ型に設置した各クラウンの大きさは異なっており、且つロウ型を円錐台に設置した後は、調整ができなくなることから、埋没材を充填した後、クラウンの上、下側における埋没材の厚さが異なる（埋没材の厚さは、ロウ型から円錐台表面までの距離、又はロウ型から埋没材上面までの距離である）だけでなく、加熱際の膨張率も異なるため、最後に完成したブリッジが当初のロウ型の形状や湾曲度に対して誤差を発生し易い。
そのため、最終的にブリッジを患者の口腔内にフィットした状態で取り付けることができない。
【０００６】
本考案は以上の点に鑑みて成されたもので、その目的とするところは、ブリッジの製作精度を向上できる円錐台を提供することにある。
【課題を解決するための手段】
【０００７】
本願の請求項１の考案は、本体と、調整部材と、複数の調整ロッドと、を備える円錐台であって、
前記本体は、上面の中央に突出状の球面が設けられ、前記球面の中央に湾曲状の内壁を有する開口が形成され、下面の中央に、前記開口と連通すると共に、内壁にねじ山を有する収容孔が形成され、前記本体の上面に所定の間隔で複数のねじ孔が形成され、
前記調整部材は、調整ボールと固定ロッドを有し、前記調整ボールは、外径が開口の内径より大きく、回転自在に前記開口内に設けられ、前記固定ロッドは、前記収容孔に螺設されることにより、調整ボールを開口に位置決め、前記固定ロッドの外側に収容孔のねじ山と螺合するねじ山が設けられ、
前記複数の調整ロッドは、夫々本体のねじ孔に螺設され、外側にねじ孔に螺設するためのねじ山が設けられることを特徴とする円錐台、を提供する。
【０００８】
本願の請求項２の考案は、更に調整プレートを有し、前記調整プレートは変形可能なプレートであり、両端が少なくとも二つの調整ロッドに設置されることを特徴とする請求項１に記載の円錐台、を提供する。
【０００９】
本願の請求項３の考案は、前記調整プレートは、中央が湾曲状を呈すると共に、両側が平面状を呈するロウプレートであることを特徴とする請求項２に記載の円錐台、を提供する。
【考案の効果】
【００１０】
本考案は上記の課題を解決するものであり、本体に設置したロウ型の下方に設置位置を調整可能なロウプレートが設けられることにより、ロウ型からロウプレートまでの距離がロウ型から充填しようとする埋没材の頂面までの距離と略等しくすることができるので、埋没材の厚さを同一にさせることができて、最後に完成したブリッジが最初のロウ型の形状や湾曲度に対して誤差が発生し難くなるという効果を有する。
【考案を実施するための最良の形態】
【００１１】
以下、添付図面を参照して本考案の好適な実施の形態を詳細に説明する。
尚、以下の実施例は本考案の好適な実施の形態を示したものに過ぎず、本考案の技術的範囲は下記の実施例そのものに何ら限定されるものではない。
【００１２】
図１は本考案に係る円錐台の分解斜視図であり、図２は本考案に係る円錐台の他の分解斜視図であり、図３は本考案に係る円錐台の平面図であり、図４は本考案に係る円錐台の断面図であり、図５は本考案に係る円錐台の使用状態を示す部分断面図であり、図６は本考案に係る円錐台の他の使用状態を示す部分断面図である。
【００１３】
図１及び図５に示すように、本考案に係る円錐台は、本体（１０）と、調整部材（２０）と、六本の調整ロッド（３０）と、調整プレートと、を備える。
本実施例においては前記調整プレートがロウプレート（４０）である場合について説明する。
【００１４】
図１、図３及び図４に示すように、本体（１０）はその上面の中央に突出状の球面（１１）が設けられている。
球面（１１）の中央には湾曲状の内壁を有する開口（１１０）が形成され、下面の中央には、開口（１１０）と連通すると共に、内壁にねじ山を有する収容孔（１１１）が形成されている。
又、本体（１０）の上面に所定の間隔で六つのねじ孔（１１２）が形成される。
【００１５】
又、図５及び図６に示すように、本体（１０）の上には更にフレーム（１２）が設けられる。
フレーム（１２）の内側にはアスベスト層、又はアスベスト紙が設けられ、また本体（１０）とフレーム（１２）との間には充填空間が形成される。
【００１６】
前記調整部材（２０）は、調整ボール（２１）と固定ロッド（２２）を有する。
前記調整ボール（２１）は、外径が開口（１１０）の内径より大きく、前記開口（１１０）内に回転自在に設けられる。
前記固定ロッド（２２）は、前記収容孔（１１１）に螺設されることにより、調整ボール（２１）を開口に位置決めする。固定ロッド（２２）の外側には収容孔（１１１）のねじ山と螺合するねじ山が設けられている。
【００１７】
前記六本の調整ロッド（３０）は、外側にねじ孔（１１２）に螺設するためのねじ山が設けられ、夫々本体（１０）のねじ孔（１１２）に螺設される。
【００１８】
前記ロウプレート（４０）は、変形可能なプレートであり、その中央が湾曲状を呈すると共に、その両側が平面状を呈する。
【００１９】
図５に示すように、ロウ型（５０）を製造した後、前記ロウ型（５０）をロウロッド（５１）によって調整ボール（２１）に設け、前記調整ボール（２１）を回転することにより、ロウ型（５０）の角度や相対位置を調整する。
次に、ロウ型（５０）に対応する調整ロッド（３０）にロウプレート（４０）を設置し、調整ロッド（３０）を上下に高さ調整することにより、ロウプレート（４０）の設置位置を調整する。
【００２０】
図５及び図６に示すように、ロウ型（５０）からロウプレート（４０）までの距離がロウ型（５０）から充填しようとする埋没材（５２）の頂面までの距離とほぼ等しいので、ロウプレート（４０）の位置を調整した後、ロウによって前記ロウプレート（４０）を調整ロッド（３０）に固定する。
次に、本体（１０）とフレーム（１２）との間に形成された充填空間に埋没材（５２）を充填することにより、ロウ型（５０）を包覆する。
この際、ロウ型（５０）の最高点から埋没材（５２）の頂面までの距離は約５ｍｍである。
前記埋没材（５２）を凝固した後、埋没材（５２）を本体（１０）から分離させ、加熱により埋没材（５２）における融け出した後、埋没材（５２）をモールドとしてブリッジを製造することができる。
【００２１】
本考案は、本体に設置したロウ型の下方に設置位置を調整可能なロウプレートを設けたことにより、ロウ型からロウプレートまでの距離を、ロウ型から充填しようとする埋没材の頂面までの距離とほぼ等しくすることができる。
そのため、埋没材の厚さを同一にできて、最後に完成したブリッジが最初のロウ型の形状や湾曲度に対して誤差を発生し難いという効果を得ることができる。
【図面の簡単な説明】
【００２２】
【図１】本考案に係る円錐台の分解斜視図である。
【図２】本考案に係る円錐台の他の分解斜視図である。
【図３】本考案に係る円錐台の平面図である。
【図４】本考案に係る円錐台の断面図である。
【図５】本考案に係る円錐台の使用状態を示す部分断面図である。
【図６】本考案に係る円錐台の他の使用状態を示す部分断面図である。
【符号の説明】
【００２３】
１０・・・・・本体
１１・・・・・球面
１１０・・・・開口
１１１・・・・収容孔
１１２・・・・ねじ孔
１２・・・・・フレーム
２０・・・・・調整部材
２１・・・・・調整ボール
２２・・・・・固定ロッド
３０・・・・・調整柱
４０・・・・・ロウプレート
５０・・・・・ロウ型
５１・・・・・ロウロッド
５２・・・・・埋没材
【図１】
0003129449.tif 000003
【図２】
0003129449.tif 000004
【図３】
0003129449.tif 000005
【図４】
0003129449.tif 000006
【図５】
0003129449.tif 000007
【図６】
0003129449.tif 000008